(57)【特許請求の範囲】
【請求項１】
シート材により形成され、菓子を入れるための開口を有する袋体の外面に菓子に詰められた中身の種類を表示する文字が並列に複数記載され、この文字が記載された面に重なるようにシート片がその文字側の端部を遊離させて設けられ、このシート片の前記各文字に対応する位置にシート片から切離れないように一部を残して切り込みで囲まれた指示片を形成し、この指示片を折り返してその先端が前記中身の種類に該当する文字を明示するようにした菓子の包装体。
【請求項２】
前記シート材が、前面部と、その下方に一体に形成されたシート片と、前面部の両側の側面部と、一方の側面部に続く後面部と、他方の側面部に続き、後面部に重ねて固定する固定代とからなり、前面部の上端は後面部の上端より低く成形されて前記開口が袋体の上部に設けられ、前記文字が後面部の外面に記載され、前記シート片が後面部の外面に折り重ねられ、その下端部が後面部に貼着され、このシート片に設けた前記指示片をシート片の裏面の方に折り返してその先端をシート片の上端から突出させることで菓子に詰められた中身の種類に該当する前記文字を明示するようにした請求項１に記載の菓子の包装体。
【請求項３】
前記指示片がシート片に施したＵ字状またはＶ字状の切り込みで囲まれた部分によって形成され、切り込みの両端を結ぶ線で前記シート片の裏面の方に折り返すようにした請求項１または２に記載の菓子の包装体。
【請求項４】
前記後面部の外面と前記シート片の表面とが同じ色であり、シート片の裏面がこの色と異なる色である請求項１から３のいずれかに記載の菓子の包装体。
【請求項５】
前記シート材が紙で形成されている請求項１から４のいずれかに記載の菓子の包装体。
【発明の詳細な説明】
【０００１】
【発明の属する技術分野】
この発明は、洋菓子や和菓子などで、中に詰められたクリーム類やあん類などが外観からは見分けることができない菓子を包装し、その中身の種類を表示する包装体に関する。
【０００２】
【従来の技術】
従来、シュークリームなどの洋菓子では、小麦粉などを主原材料として、それらを焼き上げて外側の生地を作り、その中にカスタードやホイップなどの各種のクリーム類が詰められる。また、饅頭などの和菓子では、通常、小麦粉などの主原材料をこねて、その中に小豆を主原料とした各種のあんを入れて蒸すなどして作られる。そして、これらの菓子は、一般に、店頭で菓子の種類ごとにトレイの上などに並べられ、菓子名などを表示したプレートがこのトレイの前などに置かれ、消費者が希望する菓子を箱や袋に入れて販売される。
【０００３】
【発明が解決しようとする課題】
しかし、このような菓子では、外観からは中に詰められた各種のクリームやあんなどに中身を見分けることができない。そのため、中身の異なる複数の菓子を購入した場合、その中身を識別することができず、購入した菓子を実際に食べるまではその中に入っている中身を確認することができないため、予め希望する中身の菓子を選択することができない。
【０００４】
また、中身が異なる毎に別々の文字を記載するのでは、複数種類の包装体を準備する必要があり、手間がかかる。
【０００５】
そこで、この発明の課題は、外観からは見分けることができない菓子に詰められたクリームやあんなどの中身の種類を、簡便に表示できる菓子の包装体を提供することである。
【０００６】
【課題を解決するための手段】
前記の課題を解決するために、この発明では以下の構成を採用したのである。
【０００７】
即ち、袋体をシート材により形成し、菓子を入れるための開口を設け、袋体の外面に菓子に詰められた中身の種類を表示する文字を並列に複数記載し、この文字が記載された面に重なるようにシート片がその文字側の端部を遊離させて設けられ、このシート片の前記各文字に対応する位置にシート片から切離れないように一部を残して切り込みで囲まれた指示片を形成し、この指示片を折り返してその先端が菓子の中身に該当する文字を明示するようにしたのである。
【０００８】
このようにすることにより、シート片の遊離する文字側の端部を摘んで、前記指示片を容易に折り返すことができ、袋体に複数記載された文字から菓子の中身に該当する文字を選択できるので、外観からは見分けることができない菓子に詰められた中身を明示することができる。
【０００９】
また、一種類の包装体で記載された複数の中身を簡単に選択して明示することができるので、菓子の中身が異なる毎に別々の文字を記載した複数の包装体を準備しなくても済む。
【００１０】
前記シート材が、前面部と、その下方に一体に形成されたシート片と、前面部の両側の側面部と、一方の側面部に続く後面部と、他方の側面部に続く後面部の内面に重ねて固定する固定代とからなり、前面部の上端は後面部の上端より低く成形されて前記開口が袋体の上部に設けられ、前記文字が後面部に記載され、前記シート片が後面部に折り重ねられ、その下端部が後面部に貼着され、前記指示片をシート片の裏面の方に折り返され、その先端がシート片の上端から突出して菓子に詰められた中身の種類に該当する前記文字を明示することができる。
【００１１】
このようにすることにより、１枚のシート片から容易に包装体を形成することができる。前面部の上端は後面部の上端よりも低く成形して袋体の上部に開口を設けているため、菓子を入れやすく、収容した菓子の外観も確認しやすい。また、シート片がシート材に一体に形成されているため、後面部へ折り重ねるだけでよく、その下端を後面部に貼着することにより、袋体の底部を形成するとができる。そして、指示片をシート片の裏側へ折り返すため、ちぎれるおそれもなく、また、その先端がシート片の上端から突出するので、中身の種類に該当する文字を明瞭に示すことができる。
【００１２】
前記指示片がシート片に施したＵ字状またはＶ字状の切り込みで囲まれた部分によって形成され、切り込みの両端を結ぶ線で前記シート片の裏面の方に折り返すようにすることができる。
【００１３】
このようにすれば、指示片の形成が容易であり、また、シート片の裏面の方に極めて容易に折り返すことができる。
【００１４】
前記後面部の外面と前記シート片の表面とが同じ色であり、シート片の裏面がこの色と異なる色にすれば、シート片の裏面の方に折り返された指示片の色と、後面部の外面及びシート片の表面の色が異なるので、菓子の中身の種類に該当する文字をより明瞭に指示することができる。
【００１５】
前記シート材を紙で形成すれば、包装体を形成しやすく、また、使用後の廃却にも環境上の問題を生ずることはない。
【００１６】
【発明の実施の形態】
以下に、この発明の実施形態を、添付の図１及び図２に基づいて説明する。
【００１７】
図１（ａ）及び（ｂ）は、この発明の実施形態の菓子の包装体１を示したものでに、袋体１ａの上部に設けた開口２から、複数種類の中身がそれぞれ詰められた菓子３が収容されるようになっている。包装体１は、その展開図を図２に示すように、１枚の紙のシート材４から形成されており、前面部５の上部は、菓子３を入れやすくし、且つ、収容した菓子３の一部が見え、その外観を確認できるように、凹状に成形されている。前面部５の下部には後面部６に折り重ねるシート片７が一体に形成され、このシート片７にはＵ字状の切り込み８で囲まれた指示片９が切り離れないように切り込みの両端間を残して並列に形成されている。この指示片９は、切り込み８の両端を結ぶ線でシート片７の裏面の方に折り返したときに、その先端がシート片７の上端から突出するように形成されている。
【００１８】
前記開口２は菓子３の形状などによっては袋体１ａの側部に設けることができる。
【００１９】
シート材４の一側端には固定代１０が設けられ、この固定代１０は後面部６の内側端に貼着される。前面部５の両側には側面部１１ａ、１１ｂ及び１１ｃ、１１ｄが設けられ、前面部５に隣接する側面部１１ｂ、１１ｃの上端は傾斜してそれぞれ前記の凹状に成形された前面部５の上部両端と連続している。同様に、前面部５に隣接する側面部１１ｂ、１１ｃの下端は傾斜してそれぞれシート片７の両側端と連続している。
【００２０】
側面部１１ｄに続く後面部６には、菓子の中に詰められる中身の種類を表示する複数の文字が並列に記載されている。
【００２１】
前記シート材４は、固定代１０と側面部１１ａとの間の折り目１２ａ、側面部１１ａと１１ｂ、１１ｃと１１ｄとの間の折り目１２ｂ、１２ｅ、前面部５と側面部１１ｂ、１１ｃとの間の折り目１２ｃ、１２ｄ、側面部１１ｄと後面部6 との間の折り目１２ｆに沿ってそれぞれ折られ、前述のように、固定代１０が後面部６の内側端に貼着される。そして、前面部５の下部に一体に形成されたシート片７が、固定代１０の下端縁１３から後面部６の下端に並行に延びた折り目１２ｇに沿って後面部６の外面に折り重ねられ、この折り重ねられたシート片７の下端部が後面部６に貼着される。シート片７の上端は遊離し、図１（ｂ）に示すように、後面部６の外面に並列に記載された菓子に詰められた中身の種類を表示する文字よりも下側に位置し、このようにして図１（ａ）に示した包装体１が形成される。後面部６の外面と折り重ねられたシート片７の表面は同一色であり、シート片７の裏面にはこの色とは異なった色が付されている。
【００２２】
前記シート片７は、シート材４の一部を折り重ねて設ける代わりに、別個に後面部６の下部にその一端を貼着して設けてもよい。
【００２３】
包装体１を形成するシート材４としては、紙の他にポリプロピレンなどのプラスチックを用いることができる。
【００２４】
なお、菓子の中身を表示する文字は袋体１ａの後面部６の外面のみならず、前面部５や前記側面部の外面にも記載でき、これらの面に、前述のように、シート片７を設けることができる。
【００２５】
この発明の実施形態は以上のような構成であり、以下にその作用について説明する。
【００２６】
前記袋体１ａの後面部６の外面に折り重ねられたシート片７の文字側の遊離した端部を摘んで、収容した菓子３に触れることなく、前記指示片９を容易に裏面の方へ折り返し、その先端をシート片７の開放された上端から突出させることができ、しかも、この折り返した指示片９の上にはシート片７が重なった状態になっているので、指示片９が元に戻ることはない。
【００２７】
また、この指示片９の色は後面部６の外面及びシート片７の表面の色とは異なるため、後面部６の外面に並列して記載された菓子の中身を表示する文字を選択して収容された菓子３の中身に該当する文字を明示することができる。それにより、外観からは見分けられない菓子に詰められた中身を確認できるので、希望する菓子を選択して食べることができる。
【００２８】
なお、後面部６に長方形の着色部を設け、この着色部に菓子３の中身を表示する文字を抜き文字で表示するようにすれば、シート片７の表面と裏面の色が同色、即ち折り返された指示片９の色とシート片７の色とが同じであっても、菓子３の中身を表示する文字を選択して、該当する文字を明示することが可能である。
【００２９】
さらに、前述のように、予め、所定の形状に仕上げた紙のシート材４を用いて簡単に包装体１を簡単に形成することができる。
【００３０】
前記側面部には折り目１２ｂ、１２ｅを形成しているので、菓子３を収容しないときは畳んだ状態にできて嵩張らず、菓子３を収容したときは広がり、この側面部は所謂襠の機能を有する。この側面部１１ａ、１１ｂ及び１１ｃ、１１ｄの巾を変化させたシート材４を用いることによって、厚みや高さが異なる菓子３に容易に対処することができる。
【００３１】
また、中に各種のクリームやあんなどの中身が詰められた揚げパンなど表面に油分を含む菓子についても、前記のポリプロピレンなどのプラスチックのシート材を用いることにより、袋体１ａがべとつくことなく、衛生的に菓子を収容することができる。
【００３２】
また、一種類の包装体１で記載された複数の中身を簡単に選択して明示することができるので、菓子３の中身が異なる毎に別々に文字を記載した複数の包装体を準備しなくて済み、経済的である。
【００３３】
さらに、側面部１１ｂ及び１１ｃから前面部５の上部の凹状に成形された部分にかけての形状と、シート片７の形状とは相似形に形成できるため、シート材４を素材の紙やプラスチックシートから無駄なく連続して打ち抜いて形成することができ、素材を節約することができる。
【００３４】
そして、菓子３を包装体１から取り出して食べる過程で、適宜、側面部１１ａ、１１ｂ及び１１ｃ、１１ｄを折り目１２ｂ、１２ｅに沿って畳んだ状態にした包装体１上に菓子３を置くことができるので、一種の食器代わりにもなる。
【００３５】
なお、前記袋体１ａは紙製の箱の形態をとることもでき、この箱の外面に、前述の場合と同様に、収容した菓子の中身を表示する文字を記載して、該当する文字を選択して、明示することが可能である。
【００３６】
【発明の効果】
以上のように、この発明によれば、包装体の後面または前面に記載された菓子の中身の種類を表示した文字を選択し、この包装体に収容された菓子に詰められた外観からは見分けられない中身を容易に明示することができる。それにより、購入した菓子の中身の種類を識別することができ、食べる前に菓子の中身を確認できるので、希望する菓子を食べることができるなど、消費者の利便に寄与することができる。
【００３７】
また、菓子の中身が異なる毎に別々に文字を記載した複数の包装体を準備しなくても、一種類の包装体で複数の中身を簡単に選択して明示することができるので、経済的である。
【図面の簡単な説明】
【図１】（ａ）この発明の実施形態の菓子の包装体の斜視図
（ｂ）同上の背面図
【図２】図１に示した菓子の包装体の展開図
【符号の説明】
１  包装体
１ａ  袋体
２  開口
３  菓子
４  シート材
５  前面部
６  後面部
７  シート片
８  切り込み
９  指示片
１０  固定代
１１ａ、１１ｂ、１１ｃ、１１ｄ  側面部
１２ａ〜１２ｇ  折り目
１３  下端縁
【図１】
0004465088.tif 000002
【図２】
0004465088.tif 000003